(57)【要約】【課題】田畑等への害獣の侵入を防ぐ電気柵による有効な電気ショックを、より長期間に亘ってより確実に害獣に与えることができる、安価で施工性に優れた導電性防草シートを提供すること。【解決手段】害獣の侵入を防ぐ電気柵の下方の地面に敷設するための防草シートにおいて、遮光性を有するシート体１に導電糸２を縫い込むことにより、シート体１の表裏各面において導電糸２を連続的に表出させるようにした。【選択図】図３
2020120641.tif 000002
【特許請求の範囲】
【請求項１】
害獣の侵入を防ぐ電気柵の下方の地面に敷設するための防草シートであって、
遮光性を有するシート体と、
前記シート体に縫い込まれた導電糸と、
を備え、
前記シート体の表裏各面において前記導電糸が連続的に表出していることを特徴とした導電性防草シート。
【請求項２】
前記導電糸が前記シート体に本縫いされている請求項１に記載の導電性防草シート。
【請求項３】
前記導電糸が前記シート体に環縫いされている請求項１に記載の導電性防草シート。
【請求項４】
前記シート体が帯状の化学繊維を平織りした織布から成る請求項１〜請求項３の何れかに記載の導電性防草シート。
【請求項５】
前記シート体が不織布から成る請求項１〜請求項３の何れかに記載の導電性防草シート。
【発明の詳細な説明】
【技術分野】
【０００１】
本発明は、導電性防草シート、より詳しくは、田畑等への害獣の侵入を防ぐ電気柵の下方の地面に敷設するための導電性防草シートに関する。
【背景技術】
【０００２】
周知のとおり、イノシシ、タヌキ、シカ、サル等の害獣が、田畑や果樹園等に侵入し、作物等を荒らすのを防ぐための方策として、田畑等の周囲に電気柵を設置することが広く行われている。この電気柵は、田畑等の周囲に立設した複数の支柱間に裸電線を張り渡し、この裸電線に高電圧を印加したものであり、田畑等へ侵入しようとする害獣が裸電性に触れた際、その害獣に裸電線から地面へ向かう高圧電流を流すことにより、電気ショックを与え、田畑等への侵入を断念させるものである。
【０００３】
ところが、この電気柵の下方で雑草が生長し、その雑草が電気柵の裸電線に接触してしまうと、裸電線の高圧電流が雑草を通じて漏電し、害獣に有効な電気ショックを与えられなくなる問題があった。
【０００４】
そこで、現在までに、電気柵の下方の地面に、導電性を有する防草シートを敷設することが提案され、実施されている（例えば、下記特許文献１〜３参照）。これら防草シートは、遮光性を有し、日光を遮ることで雑草の生長を抑制するとともに、導電性を有しているため、田畑等へ侵入しようとする害獣が裸電線に触れた際、その害獣がたとえ防草シート上に乗っていたとしても、高圧電流を害獣の体から防草シートを通じて地面へ流すことができ、害獣に電気ショックを与えることができる。
【先行技術文献】
【特許文献】
【０００５】
【特許文献１】特開２０１４−９０７１７号公報
【特許文献２】特開２０１２−６０９４８号公報
【特許文献３】特開２００３−２９９４３３号公報
【発明の概要】
【発明が解決しようとする課題】
【０００６】
しかしながら、これら従来の導電性防草シートには以下の難点があった。即ち、特許文献１に記載の導電性防草シートは、化学繊維を織って作られた防草シートの表面側に亀甲金網を重ね、両者を止め具により接合して構成されていたため、敷設時における亀甲金網の扱いが容易でなく、敷設作業に手間がかかる難点があった。
【０００７】
また、特許文献２に記載の導電性防草シートは、炭素繊維を使用した不織布から構成されていたため、炭素繊維と他の繊維材料を混合した場合であっても、電気柵用の防草シートとして必要な導電性を得るためには十分な量の炭素繊維を混合する必要があり、その製造コストが高くなる難点があった。
【０００８】
また、図６に示すように、特許文献３に記載の導電性防草シート１００は、帯状の化学繊維（１１１・１１２）を織って作られたシート１１０に導電物１２０を織り込んで構成されていたため、シート１１０の表裏の各面において、導電物（１２１・１２２）が断続的に表出することになり、防草シートの長期間使用による経時劣化や、害獣の踏付け等によって、シート表面側の導電物１２１が断線した場合、地面との導電性が不十分となって害獣に有効な電気ショックを与えられなくなる恐れがあった。
【０００９】
勿論、この導電性防草シート１００において、シートに織り込まれた導電物１２０は、必ずしもその全長に亘って通電可能に連続している必要はなく、シート表面側で一部断線していても、その断線したシート表面側の導電物１２１がシート裏面側の導電物１２２と連続しており、そのシート裏面側の導電物１２２が地面に通電可能に接地していれば、高圧電流を害獣の体から防草シートを通じて地面へ流すことが可能である。
【００１０】
しかしながら、導電性防草シートを敷設すべき地面の状態は多様であり、シート裏面に断続的に表出している導電物１２２を全て、地面に通電可能に接地させることは望めず、実際には、図７に示すように、地面Ｇとの間に隙間があったり、石ころ等の導電不良物Ｐがあったりして、シート裏面側の導電物１２２の一部は、通電可能な接地状態にないのが通常である。
【００１１】
したがって、長期間に亘って日中の紫外線や風雨に晒されて経時劣化が進み、更には、電気ショックを与える前後において害獣に幾度も踏み付けられるなどして、シート表面側の導電物１２１の断線箇所が多くなるほど、これらシート表面側の導電物１２１の断線部間（図７中符号Ａ参照）においてシート裏面側の導電物１２２による接地が不十分となる状態が生じ易くなり、その部分では害獣に有効な電気ショックを与えられなくなる恐れがあったのである。
【００１２】
本発明は、従来の導電性防草シートに上記のような難点があったことに鑑みて為されたもので、電気柵による有効な電気ショックを、より長期間に亘ってより確実に害獣に与えることができる、安価で敷設作業性に優れた導電性防草シートを提供することを課題とする。
【課題を解決するための手段】
【００１３】
本発明は、害獣の侵入を防ぐ電気柵の下方の地面に敷設するための防草シートであって、遮光性を有するシート体と、前記シート体に縫い込まれた導電糸と、を備え、前記シート体の表裏各面において前記導電糸が連続的に表出していることを特徴とする。
【００１４】
また、本発明は、前記導電糸が前記シート体に本縫いされていることを特徴とする。
【００１５】
また、本発明は、前記導電糸が前記シート体に環縫いされていることを特徴とする。
【００１６】
また、本発明は、前記シート体が帯状の化学繊維を平織りした織布から成ることを特徴とする。
【００１７】
また、本発明は、前記シート体が不織布から成ることを特徴とする。
【発明の効果】
【００１８】
本発明に係る導電性防草シートは、シート体に導電糸を縫い込んで構成され、シート体の表裏の各面において導電糸が連続的に表出しているので、電気柵の下方の地面に敷設したとき、シート体の裏面側の導電糸は、表面側の導電糸の断線の有無に関わらず、それ自体が全長に亘って連続して通電することができる。したがって、たとえ防草シートの経時劣化や害獣の踏付け等によりシート表面側の導電糸が多数断線しても、さらに、シート裏面側の導電糸が部分的に通電可能な接地状態になくても、地面との導電性を確保することができ、電気柵による有効な電気ショックを、より長期間に亘ってより確実に害獣に与えることができる。
【００１９】
また、本発明に係る導電性防草シートは、シート体に導電糸を縫い込んで構成されているので、柔軟で取扱いが容易であり、敷設作業性に優れている。
【００２０】
また、本発明に係る導電性防草シートは、シート体に導電糸を縫い込むだけで構成することができるので、頗る安価に製造することができる。
【図面の簡単な説明】
【００２１】
【図１】本実施形態の導電性防草シートの表面の一部を示す部分平面図である。
【図２】本実施形態の導電性防草シートの裏面の一部を示す部分裏面図である。
【図３】本実施形態の導電性防草シートの拡大部分断面図である。
【図４】本実施形態の導電性防草シートを地面上に敷設した状態を示す拡大部分断面図である。
【図５】本発明に係る他の実施形態の導電性防草ネットの拡大部分断面図である。
【図６】従来の導電性防草ネットの（ａ）表面の一部を示す部分平面図、（ｂ）拡大部分断面図である。
【図７】従来の導電性防草ネットを地面上に敷設した状態を示す拡大部分断面図である。
【発明を実施するための形態】
【００２２】
図１〜図３に示すように、本実施形態の導電性防草シート１０は、遮光性を有するシート体１と、このシート体１に縫い込まれた導電糸２と、から構成されている。
【００２３】
シート体１は、遮光性を有する帯状の化学繊維を縦糸１１及び緯糸１２として用いて平織りした柔軟な織布から構成されている。本実施形態では、縦糸１１及び緯糸１２として、ポリプロピレンを採用しているが、例えばポリエチレン等の他の化学繊維を採用することもできる。
【００２４】
導電糸２は、上記シート体１に本縫いされている。即ち、本実施形態の導電糸２は、上糸２１と下糸２２とから成り、図３に示すように、上糸２１のループＬがシート体１の表面側から裏面側へ通り抜け、下糸２２と交差している。このことで、シート体１の表面においては、図１に示すように、導電糸２の上糸２１が各縫孔部を介して連続的に表出することになり、シート体１の裏面においては、図２に示すように、導電糸２の下糸２２が上糸２１のループＬを介して連続的に表出することになる。
【００２５】
なお、本実施形態では、導電糸２として、アルミニウムのスリットヤーンを芯糸に螺旋状に巻きつけたカバーリング糸を採用しているが、例えば、芯糸の外表面に導電物をコーティングしたコーティング糸や、金属繊維を採用することも可能である。
【００２６】
また、本実施形態では、導電糸２をシート体１の平織組織に沿って直線状に縫い込んでいるが、この導電糸２は、シート体１の組織と無関係に縫い込むことができ、例えば、シート体１の組織に対し斜め方向に縫い込んでもよく、ジグザグ状や曲線状に縫い込んでもよい。また、導電糸２の縫孔の間隔についても、帯状の化学繊維の幅やシート体１の厚み、組織等に応じて種々の設計変更が可能である。さらに、シート体１に複数の導電糸２を所要間隔で縫い込むことも可能である。
【００２７】
この導電性防草シート１０を、田畑等の周囲に設置した電気柵の下方の地面に敷設することによって、シート体１の遮光性により日光を遮って雑草の生長を抑制するとともに、導電糸２の導電性によって地面との導電性を確保して、田畑等へ侵入しようとする害獣が電気柵の裸電線に触れた際に、高圧電流を害獣の体から防草シート１０を通じて地面へ流し、害獣に有効な電気ショックを与える。
【００２８】
このように、本実施形態の導電性防草シート１０は、シート体１に導電糸２を縫い込んで構成され、シート体１の表裏の各面において導電糸（上糸２１、下糸２２）が連続的に表出しているので、図４に示すように、導電性防草シート１０を電気柵の下方の地面Ｇに敷設したとき、シート体１の裏面側の導電糸（下糸２２）は、表面側の導電糸（上糸２１）の断線の有無に関わらず、それ自体が全長に亘って連続して通電することができる。そして、この裏面側の導電糸（下糸２２）は、シート体１が有する遮光性により直接紫外線に晒されることもなく、また、害獣に直接、踏み付けられることもないので、長期間に亘ってその連続通電性を維持することができる。
【００２９】
したがって、図４に示すように、たとえ導電性防草シート１０の長期間使用による経時劣化や害獣の踏付け等によりシート表面側の導電糸（上糸２１）が多数断線しても、さらに、シート裏面側の導電糸（下糸２２）が、石ころ等の導電不良物Ｐの存在によって部分的に通電可能な接地状態になくても、地面Ｇとの導電性を確保することができ、電気柵による有効な電気ショックをより長期間に亘ってより確実に害獣に与えることができる。
【００３０】
しかも、本実施形態の導電性防草シート１０は、シート体１の表面側の導電糸（上糸２１）が連続的に表出しているので、害獣が表面側の導電糸（上糸２１）を踏む可能性を高めることができ、また、例えばイタチやハクビシン等の比較的に足裏面積の小さい害獣に対してもより確実に電気柵による電気ショックを与えることができる。
【００３１】
また、本実施形態の導電性防草シート１０は、柔軟なシート体１に導電糸２を縫い込んで構成されているので、例えばロール巻きして運搬することができ、柔軟で取扱いが容易であり、その敷設作業性に優れている。
【００３２】
また、本実施形態の導電性防草シート１０は、一旦、シート体１を形成し、その後、シート体１の所望位置にミシン等により導電糸２を縫い込んで構成することができるので、頗る安価に製造することができる。また、既存の防草シートに導電糸を縫い込むことにより製造することも可能である。
【００３３】
また、本実施形態の導電性防草シート１０は、織布から成るシート体１に導電糸２を縫い込んで構成されているので、導電糸２の縫込み部分において、シート体１の縦糸１１及び緯糸１２の目寄れを防ぎ、シート体１を補強することも可能である。
【００３４】
また、上述したように、導電糸をシート体の組織とは無関係に縫い込むことができるので、例えば電気柵の設置状況や害獣の種類に応じて、シート体に対し種々の配置パターンや間隔で導電糸を縫込み配置することができ、このことによっても、より確実に電気柵による電気ショックを害獣に与えることができる。
【００３５】
以上、本実施形態の導電性防草シートについて説明したが、本発明は他の実施形態でも実施することができる。
【００３６】
例えば、図５に示す導電性防草シート２０のように、シート体３をポリエステル繊維等から成る不織布で形成してもよい。シート体３として不織布を採用することで、シート体３の耐久性、雑草による貫通抵抗性を向上させることができる。その他、シート体として、所謂マルチシート等のフィルム材を採用してもよい。雑草の種類、地面の状態等に応じて種々の設計変更が可能である。
【００３７】
また、図５に示す導電性防草シート２０のように、導電糸４がシート体３に環縫いされていてもよい。即ち、導電性防草シート２０は、一本の導電糸４がシート体３に単環縫いされており、導電糸４のループＬがシート体３の表面側から裏面側へ通り抜け、その裏面側で自糸ルーピングしている。このことで、シート体３の表面側の導電糸４１は各縫孔部を介して連続的に表出することになり、シート体３の裏面側の導電糸４２は、鎖状を成して連続的に表出することになる。
【００３８】
このように、導電糸４をシート体３に環縫いにより縫い込んだ場合でも、シート体３の表裏の各面において導電糸４が連続的に表出するので、シート体３の裏面側の導電糸４２は、表面側の導電糸４１の断線の有無に関わらず、それ自体が全長に亘って通電することができ、たとえ防草シートの長期間使用による経時劣化や害獣の踏付け等によりシート表面側の導電糸４１が多数断線しても、さらに、シート裏面側の導電糸４２が、石ころ等の導電不良物の存在によって部分的に通電可能な接地状態になくても、地面との導電性を確保することができ、電気柵による有効な電気ショックを、より長期間に亘ってより確実に害獣に与えることができる。
【００３９】
また、導電性防草シート２０は、導電糸４をシート体３に環縫いにより縫い込んでいるので、シート体３の裏面側の導電糸４２は、鎖状を成して二重に表出することになり、裏面側の導電糸４２の連続通電性をより向上させることができる。その他、導電糸をシート体に対し二重環縫いや偏平縫いにより縫い込むようにしてもよい。シート体の材質、厚み、地面の状態等に応じて種々の設計変更が可能である。
【００４０】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【産業上の利用可能性】
【００４１】
本発明に係る導電性防草シートは、田畑等への害獣の侵入を防ぐ電気柵の下方の地面に単独で敷設して利用するほか、高電圧を印加する裸電線をネットに配設した電気ネットの下部に本発明に係る導電性防草シートを接合した状態で地面に敷設して利用することもできる。
【符号の説明】
【００４２】
１０、２０  導電性防草シート
１、３  シート体
２、４  導電糸
【図１】
2020120641.tif 000003
【図２】
2020120641.tif 000004
【図３】
2020120641.tif 000005
【図４】
2020120641.tif 000006
【図５】
2020120641.tif 000007
【図６】
2020120641.tif 000008
【図７】
2020120641.tif 000009
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
害獣の侵入を防ぐ電気柵の下方の地面に敷設するための防草シートであって、
遮光性を有するシート体と、
前記シート体に縫い込まれた導電糸と、
を備え、
前記導電糸が前記シート体に本縫いされた上糸と下糸とから成り、
前記シート体の表面において、前記上糸が縫孔部を介して連続的に表出し、前記シート体の裏面において、前記下糸が前記上糸のループを介して連続的に表出していることを特徴とした導電性防草シート。
【請求項２】
前記シート体が帯状の化学繊維を平織りした織布から成る請求項１に記載の導電性防草シート。
【請求項３】
前記シート体が不織布から成る請求項１に記載の導電性防草シート。
【手続補正２】
【補正対象書類名】明細書
【補正対象項目名】００１３
【補正方法】変更
【補正の内容】
【００１３】
本発明は、害獣の侵入を防ぐ電気柵の下方の地面に敷設するための防草シートであって、遮光性を有するシート体と、前記シート体に縫い込まれた導電糸と、を備え、前記導電糸が前記シート体に本縫いされた上糸と下糸とから成り、前記シート体の表面において、前記上糸が縫孔部を介して連続的に表出し、前記シート体の裏面において、前記下糸が前記上糸のループを介して連続的に表出していることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】